(57)【特許請求の範囲】
【請求項１】
データを送信する時間を設定する第１のタイマを有する無線通信基地局と、
無線通信基地局からのデータを受信する時間を設定する第２のタイマと、契約したサービスの情報提供時間情報を記憶する記憶部とを有する無線通信移動局とを備え、
前記無線通信移動局は、契約したサービスの情報提供時間情報に基づいて所定の時間に前記無線通信基地局からデータを受信する際に、前記無線通信基地局の前記第１のタイマと同期を取るために必要な時間分前記所定の時間に先行して受信準備に入り、前記第２のタイマと前記第１のタイマとの同期を確立し、通信チャネルを設定し、前記記憶部から読み出された契約したサービスの情報提供時間情報に基づいて前記所定の時間になったときにデータ受信を開始する
移動体通信における情報提供システム。
【請求項２】
前記無線通信移動局が前記無線通信基地局からの信号を間欠的に受信している場合に、前記無線通信移動局の第２のタイマからの起動信号により起動されたときには、前記無線通信移動局は、同期確立後に前記データを受信する
請求項１記載の移動体通信における情報提供システム。
【請求項３】
前記無線通信移動局が、電源オフでスリープ状態にある場合に、前記無線通信移動局の第２のタイマからの起動信号により起動されたときには、前記無線通信移動局は、同期確立後に時刻補正を行った後に、前記データを受信する
請求項１記載の移動体通信における情報提供システム。
【請求項４】
前記第１のタイマおよび第２のタイマは、携帯電話システムで利用されるシステムタイムにより時間が管理され、所定の時刻になったら第２のタイマは第１のタイマと同期して、データ信号を受信する
請求項１記載の移動体通信における情報提供システム。
【請求項５】
移動体通信における携帯端末であって、
時刻が管理されるタイマと、
契約したサービスの情報提供時間情報を記憶する記憶部とを有し、
契約したサービスの情報提供時間情報に基づいて所定の時間に無線通信基地局からデータを受信する際に、前記無線通信基地局のタイマと同期を取るために必要な時間分前記所定の時間に先行して受信準備に入り、前記タイマと前記無線通信基地局のタイマとの同期を確立し、通信チャネルを設定し、前記記憶部から読み出された契約したサービスの情報提供時間情報に基づいて前記所定の時間になったときにデータ受信を開始する
移動体通信における携帯端末。
【請求項６】
前記携帯端末が前記無線通信基地局からの信号を間欠的に受信している場合に、前記タイマからの起動信号により起動されたときには、前記携帯端末は、同期確立後に前記データを受信する
請求項５記載の携帯端末。
【請求項７】
前記携帯端末が、電源オフでスリープ状態にある場合に、前記タイマからの起動信号により起動されたときには、前記携帯端末は、同期確立後に時刻補正を行った後に、前記データを受信する
請求項５記載の携帯端末。
【発明の詳細な説明】
【０００１】
【産業上の利用分野】
本発明は、携帯電話等の移動体通信網を利用した情報提供システムに関し、詳しくは、１対１の移動体通信サービスが行われている時間の一部を利用して情報提供サービスを行うときに、予め情報提供する時間を決めておき、所定の時間になったときにデータ受信を開始するようにした移動体通信における情報提供システムおよび携帯端末に関する。
【０００２】
【従来の技術】
携帯電話またはＰＤＡのような移動体端末を用いる移動体通信システムで情報提供サービスを行う場合は、情報を通信する前に発呼または着呼の手順を行った後に、空いている周波数チャンネルまたは論理チャンネルに接続して情報通信を開始するようにしている。
【０００３】
図９は、従来の携帯電話システムにおける無線通信基地局の一例を示す図である。図９において、無線通信基地局Ａは、音声データを送信する音声処理部１、データ蓄積部２、制御部３、サービス契約情報蓄積部４、通信部５、およびアンテナ６からなる。
次に、図９を用いて、基地局Ａの動作について説明する。通話を行う場合には、基地局Ａの音声処理部１で処理された音声データが通信部５に送られ、その音声データは、制御部３の制御の下に、通信部５で通信に必要な変調等の信号処理がなされた後、アンテナ６から送信される。また、データ通信をする場合には、データ蓄積部２にあるデータは、制御部３の制御の下に、サービス契約情報蓄積部４に蓄積されたサービス契約情報を基に、通信部５で通信に必要な変調等の信号処理がなされた後、アンテナ６を介して送信される。
【０００４】
図１０は、従来の携帯電話システムにおける無線通信移動局の一例を示す図である。図１０において、無線通信移動局Ｂは、音声データを処理するアンテナ８、通信部９、データ蓄積部１０、画像表示部１１、音声処理部１２、および制御部１３からなる。
次に、図１０を用いて、移動局Ｂの動作について説明する。図１０において、基地局Ａから送られた信号は、移動局Ｂのアンテナ８で受信され、音声データは制御部１３の指示により通信部９から音声処理部１２に送られて音声処理され、画像データはデータ蓄積部１０に送られ、さらに画像表示部１１に送られて液晶表示装置等で再生される。
【０００５】
図１１は、従来の情報提供サービスの接続手順を説明する図である。図１１は、基地局Ａの送信処理と受信処理および移動局Ｂの送信処理と受信処理を表しており、横方向は時間軸である。
情報提供サービスを行う場合は、まず、基地局Ａは移動局Ｂに着呼メッセージを送り、移動局Ｂは、そのメッセージを受信して処理した後、基地局Ａに対して着呼応答メッセージを発する。移動局Ｂは、通信チャンネルの準備をして次の通信に備える。基地局Ａは、移動局Ｂからの着呼応答メッセージを受信して処理し、送信可能であれば提供する情報を決めた通信チャンネルによって提供情報を移動局Ｂに送信する。移動局Ｂは、通信チャンネルで提供情報を受信して処理する。
【０００６】
【発明が解決しようとする課題】
上記のように、従来の移動体通信装置では、１対１の通信を前提としているため、本来必要な情報を通信するためには、基地局Ａからの着呼メッセージの送信、移動局Ｂでの処理、移動局Ｂからの着呼応答メッセージの送信、基地局Ａでの処理等によって、通信チャンネルを確保し、さらに移動局Ｂで受信可能にするための通信手順を踏む必要があった。すなわち、着呼メッセージや着呼応答メッセージ等のメッセージを送信するために、受信までの時間がかかると共に、通信容量も多く使用してしまうという問題点があった。
【０００７】
本発明は、上記のような課題を解決するためになされたもので、情報提供サービスを行うときに予め情報提供する時間を決めておき、所定の時間になったときにデータ受信を開始するようにして、手順が簡単で短時間に受信が可能となり、かつ通信チャンネル容量を効率的に利用できるようにした移動体通信における情報提供システムを提供することを目的とする。
【０００８】
【課題を解決するための手段】
上記の目的を達成するために、本発明に係わる移動体通信における情報提供システムは、データを送信する時間を設定する第１のタイマを有する無線通信基地局と、無線通信基地局からのデータを受信する時間を設定する第２のタイマと、契約したサービスの情報提供時間情報を記憶する記憶部とを有する無線通信移動局とを備え、前記無線通信移動局は、契約したサービスの情報提供時間情報に基づいて所定の時間に前記無線通信基地局からデータを受信する際に、前記無線通信基地局の前記第１のタイマと同期を取るために必要な時間分前記所定の時間に先行して受信準備に入り、前記第２のタイマと前記第１のタイマとの同期を確立し、通信チャネルを設定し、前記記憶部から読み出された契約したサービスの情報提供時間情報に基づいて前記所定の時間になったときにデータ受信を開始することを特徴とする。
【００１０】
また、本情報提供システムにおける無線通信移動局が無線通信基地局からの信号を間欠的に受信している場合に、前記無線通信移動局の第２のタイマからの起動信号により起動されたときには、無線通信移動局は、同期確立後に前記データを受信することを特徴とする。
【００１１】
また、本情報提供システムにおける無線通信移動局が電源オフでスリープ状態にある場合に、無線通信移動局の第２のタイマからの起動信号により起動されたときには、無線通信移動局は、同期確立後に時刻補正を行った後に、データを受信することを特徴とする。
【００１２】
また、本情報提供システムにおける第１のタイマおよび第２のタイマは、携帯電話システムで利用されるシステムタイムにより時間が管理され、所定の時刻になったら第２のタイマは第１のタイマと同期して、データ信号を受信することを特徴とする。
【００１３】
また、本発明の携帯端末は、移動体通信における携帯端末であって、時刻が管理されるタイマと、契約したサービスの情報提供時間情報を記憶する記憶部とを有し、契約したサービスの情報提供時間情報に基づいて所定の時間に無線通信基地局からデータを受信する際に、前記無線通信基地局のタイマと同期を取るために必要な時間分前記所定の時間に先行して受信準備に入り、前記タイマと前記無線通信基地局のタイマとの同期を確立し、通信チャネルを設定し、前記記憶部から読み出された契約したサービスの情報提供時間情報に基づいて前記所定の時間になったときにデータ受信を開始することを特徴とする。
【００１４】
また、本発明の携帯端末が無線通信基地局からの信号を間欠的に受信している場合に、タイマからの起動信号により起動されたときには、携帯端末は、同期確立後に前記データを受信することを特徴とする。
【００１５】
また、本発明の携帯端末が電源オフでスリープ状態にある場合に、タイマからの起動信号により起動されたときには、携帯端末は、同期確立後に時刻補正を行った後に、データを受信することを特徴とする。
【００１６】
【発明の実施の形態】
以下、本発明の一実施の形態の移動体通信における情報提供システムを図面に基づいて説明する。
図１は、本発明の実施の形態１の情報提供システムにおける無線通信基地局（携帯電話基地局）を示す図である。この無線通信基地局（以下、基地局と称す）Ａは、音声データを送信する音声処理部１、データ蓄積部２、通信部５、アンテナ６、タイマ２５、ＧＰＳ受信機２６、アンテナ２７、および制御部２８からなる。
【００１７】
以下、本発明の実施の形態１の情報提供システムにおける基地局Ａの動作について説明する。全ての基地局Ａには、ＧＰＳ受信機２６が備えられており、このＧＰＳ受信機２６によって各基地局の同期が取られ、ＧＰＳの時間に同期してタイマ２５が動作するようになっている。これにより制御部２８では常に正確な時刻を刻むことができるようになっている。
【００１８】
通話を行う場合には、音声処理部１で処理された音声データが通信部５に送られる。送られてきた音声データは、制御部２８の指示により、通信部５で通信に必要な変調等の信号処理がなされ、信号処理された音声データはアンテナ６を介して送信される。
【００１９】
データ通信を行う場合には、図５に示すような情報提供サービスプログラム（後述する）に従って、データ蓄積部２に蓄積されているデータは、制御部２８の指示により、通信部５で通信に必要な変調等の信号処理がなされ、決められた時間にアンテナ６を介して送信されて通信が行われる。
【００２０】
図２は、本発明の実施の形態１の情報提供システムにおける無線通信移動局を示す図である。この無線通信移動局（以下、移動局または携帯端末と称す）Ｂは、アンテナ８、通信部９、データ蓄積部１０、画像表示部１１、音声データを処理する音声処理部１２、制御部３４、タイマ３５、サービス契約情報蓄積部３６からなる。
【００２１】
次に、本発明の実施の形態１の情報提供システムにおける無線通信移動局Ｂの動作について説明する。基地局Ａから送られた信号は、移動局Ｂのアンテナ８で受信される。音声データは通信部９を介して音声処理部１２に送られて処理される。一方、画像データは、その端末（移動局Ｂ）で契約したサービス内容を記録したサービス契約情報蓄積部３６の記録を基に、制御部３４の指示に従って、許可された時間帯にデータ蓄積部１０に送られる。なお、必要に応じて、データ蓄積部１０から読み出された画像データは、画像表示部１１に送られて液晶表示装置等に表示される。このとき、移動局Ｂでの時間は、正確なシステムタイムをカウントするタイマ３５により管理される。
【００２２】
図３は、本発明の情報提供システムにおいて、情報提供サービスを行う場合の接続手順の概略を示す図である。図３において、横方向は時間軸であり、基地局と移動局間の送受信処理の手順を示している。
基地局Ａでは、タイマ２５が情報提供サービスを開始する時刻を正確に刻んでいる。基地局Ａでは、情報提供開始時刻Ｔ１になると、タイマ２５からの時刻信号に基づいて、制御部２８は、通信部５を制御してデータ蓄積部２からサービスデータ（提供情報）を読み出して、アンテナ６を介して、そのサービスデータを移動局Ｂに送信する。その後、情報提供終了時刻Ｔ２になると、基地局Ａはサービスデータの送信を終了する。
【００２３】
一方、移動局Ｂでは、同じ情報提供時間情報を有しており、契約したサービスの情報提供時間情報に基づいて提供情報の受信を行う。すなわち、移動局Ｂでは、タイマ３５によって、情報提供開始時刻Ｒ１で受信を開始し、情報提供終了時刻Ｒ２で提供情報の受信を終了する。後述するように、受信には同期を取るための準備期間が必要なため、端末ではその時間分を見越した分だけ先行して受信準備に入り、同期確立や通信チャンネルの設定を行う。その後、所定チャンネルについて、所定時間に提供情報を受信する。
【００２４】
図４は、実施の形態１の情報提供システムの動作を示すタイミングチャートである。上記のように、基地局Ａにおいて、タイマ２５は開始時刻Ｔ１になると、制御部２８の指示に基づいて、送信開始の信号を通信部５に送る。通信部５は、予めデータ蓄積部２に記録されているデータを読み出して、そのデータをアンテナ６を介して移動局Ｂに送信する。終了時刻Ｔ２になるとデータの送信は終了する。
【００２５】
一方、移動局Ｂは、交信信号を間欠受信しているが、所定の時刻Ｔ１になると、タイマ３５の起動信号Ｑによって移動局Ｂが起動（電源オン）され、それに伴ってシンセサイザが起動され周波数と位相が確定し、同期確立を行った後、データ受信を開始する。すなわち、受信には同期を取るための準備期間が必要なため、移動局Ｂではその時間分を見越した分だけ先行して受信準備に入り、同期確立や通信チャンネルの設定を行う。
【００２６】
図５は、情報提供プログラム情報の一例を示す図である。この例では、たとえば、月曜の深夜には映画、水曜２１時には少年ジャンプの漫画、金曜２１時にはポケステゲーム、日曜にはタイムセール、火曜から土曜までの１１時にはランチメニューの情報を提供するようにプログラムされている。この情報提供プログラム情報は基地局Ａのデータ蓄積部２に蓄えられている。
【００２７】
以上のように、実施の形態１における移動体通信における情報提供システムでは、サービスで提供される情報を取得するのに必要最小限のチャンネル容量を使い効率的に通信を行い、かつ、携帯端末の受信に必要な電力を最小に押さえて受信をすることが可能となる。
【００２８】
実施の形態２．
上記実施の形態１は移動局が携帯電話の場合の例であるが、本発明は移動局がＰＤＡ（パーソナルデジタルアシスタンツ）の場合にも適用可能である。以下に、移動局がＰＤＡである実施の形態２について説明する。
図６は、本発明の実施の形態２における基地局Ａ’を示す図である。実施の形態２における基地局Ａ’は、実施の形態１の基地局Ａから音声処理部１を除いた構成であり、その他の構成は実施の形態１と同じであるので、詳細な説明は省略する。ＰＤＡでは音声通信を行わないために、音声処理部１が不要になったものである。
【００２９】
以下、本発明の実施の形態２の情報提供システムにおける基地局Ａ’の動作について説明する。基地局Ａ’では、実施の形態１の基地局Ａと同様に（図３参照）、タイマ２５が情報提供サービスを開始する時刻を正確に刻んでいる。基地局Ａ’では、情報提供開始時刻Ｔ１になると、タイマ２５からの時刻信号に基づいて、制御部２８は、通信部５を制御してデータ蓄積部２からサービスデータ（提供情報）を読み出して、アンテナ６を介してこのサービスデータを移動局Ｂ’に送信する。その後、情報提供終了時刻Ｔ２になると、基地局Ａはサービスデータの送信を終了する。
【００３０】
図７は、実施の形態２における移動局Ｂ’を示す図である。実施の形態２における移動局Ｂ’は、実施の形態１の移動局Ｂから音声処理部１２を除いた構成であり、その他の構成は実施の形態１と同じであるので、詳細な説明は省略する。実施の形態２においては、移動局Ｂ’においても、ＰＤＡでは音声通信を行わないために、音声処理部１２が不要になったものである。
【００３１】
図８は、実施の形態２の情報提供システムの動作を示すタイミングチャートである。上記のように、基地局Ａ’において、タイマ２５は開始時刻Ｔ１になると、制御部２８の指示に基づいて、送信開始の信号を通信部５に送る。通信部５は、予めデータ蓄積部２に記録されているデータを読み出して、そのデータをアンテナ６を介して移動局Ｂ’に送信する。終了時刻Ｔ２になるとデータの送信は終了する。
【００３２】
一方、移動局Ｂ’は、交信信号の間欠受信はなく、スリープ状態となっている。所定の時刻Ｔ１になると、タイマ３５の起動信号Ｑによって移動局Ｂ’が起動（電源オン）され、それに伴ってシンセサイザが起動され周波数と位相が確定し、同期確立を行った後、時刻補正を行った後に、データ受信を開始する。すなわち、受信には同期を取るための準備期間が必要なため、移動局Ｂではその時間分を見越した分だけ先行して受信準備に入り、同期確立や通信チャンネルの設定を行う。
【００３３】
【発明の効果】
以上、詳述したように、本発明の移動体通信における情報提供システムによれば、データを送信する時間を設定する第１のタイマ、および無線通信基地局からのデータを受信する時間を設定する第２のタイマを備えたので、基地局と移動局の間で時刻および情報提供サービスのプログラム情報を共有することにより、基地局から通信の開始手順を踏むことなく、送られた提供情報を移動局側でサービス契約した情報提供サービスに対応した時刻に正確に受信し、これにより、通信のチャンネルや時間を指定する通信開始手順を踏むことが省略できるため、手順が簡略化されて短時間に受信が可能となり、かつ通信容量を効率よく使用した通信が可能となる。
【００３４】
また、移動体端末においては、基地局への送信を極力押さえ、間欠受信も最低限にすることが可能となるため、消費電力を低減することが可能となる。また、通信手順が省略されることにより、システム全体として通信処理が簡易になるという効果がある。
【図面の簡単な説明】
【図１】本発明の実施の形態１における無線通信基地局のブロック図である。
【図２】本発明の実施の形態１における無線通信移動局のブロック図である。
【図３】本発明の実施の形態１の情報提供サービスにおける接続手順の概略を示す図である。
【図４】本発明の実施の形態１の情報提供システムの動作を示すタイミングチャートである。
【図５】本発明の実施の形態１の情報提供プログラム情報の一例を示す図である。
【図６】本発明の実施の形態２における無線通信基地局のブロック図である。
【図７】本発明の実施の形態２における無線通信移動局のブロック図である。
【図８】本発明の実施の形態２の情報提供システムの動作を示すタイミングチャートである。
【図９】従来の無線通信基地局のブロック図である。
【図１０】従来の無線通信移動局のブロック図である。
【図１１】従来の情報提供サービスにおける接続手順の概略を示す図である。
【符号の説明】
Ａ，Ａ’      基地局
Ｂ，Ｂ’      移動局
１，１２      音声処理部
２，１０      データ蓄積部
４，３６      サービス契約情報蓄積部
５，９        通信部
６，８，２７  アンテナ
１１          画像表示部
２８，３４    制御部
２５，３５    タイマ
２６          ＧＰＳ受信機
【図１】
0004752132.tif 000002
【図２】
0004752132.tif 000003
【図３】
0004752132.tif 000004
【図４】
0004752132.tif 000005
【図５】
0004752132.tif 000006
【図６】
0004752132.tif 000007
【図７】
0004752132.tif 000008
【図８】
0004752132.tif 000009
【図９】
0004752132.tif 000010
【図１０】
0004752132.tif 000011
【図１１】
0004752132.tif 000012